(57)【特許請求の範囲】
【請求項１】
アルミニウム電極を有したろ過槽に浴槽水を循環させてアルミニウム電解により前記浴槽水を浄化する循環温浴器であって、前記浴槽水の循環を停止してアルミニウム電解を行うことにより前記アルミニウム電極の洗浄を行う制御部を備えていることを特徴とする循環温浴器。
【請求項２】
前記制御部が、前記ろ過槽を加熱するろ過槽加熱手段及び／又は、前記アルミニウム電極の電解電圧の上昇を検知する電圧検知手段を備えていることを特徴とする請求項１に記載の循環温浴器。
【請求項３】
前記ろ過槽の下流側に設けられた三方弁が切り替えられ、循環ポンプの上流側に配設されたプレフィルター等の上流側と前記ろ過の下流側が連絡されることを特徴とする請求項１又は２に記載の循環温浴器。
【請求項４】
アルミニウム電極を有したろ過槽に浴槽水を循環させてアルミニウム電解により前記浴槽水を浄化する循環温浴器の電極洗浄方法であって、前記ろ過槽の中の浴槽水の循環を停止させアルミニウム電解でアルミニウム電極を洗浄する電極洗浄ステップを備えていることを特徴とする循環温浴器の電極洗浄方法。
【請求項５】
前記電極洗浄ステップが、ヒータで前記ろ過槽を加熱しながら行うことを特徴とする請求項４に記載の循環温浴器の電極洗浄方法。
【請求項６】
前記電極洗浄ステップが、前記アルミニウム電解を停止させた後、前記ろ過槽を加熱し所定温度に加熱後アルミニウム電解を行うことを特徴とする請求項４に記載の循環温浴器の電極洗浄方法。
【請求項７】
前記電極洗浄ステップが、前記アルミニウム電極の電解電圧の上昇を検知した後行うことを特徴とする請求項４乃至６の内いずれか１項に記載の循環温浴器の電極洗浄方法。
【発明の詳細な説明】
【０００１】
【発明の属する技術分野】
本発明は、アルミニウム電解による凝集処理（浄化）と加熱保温の機能を備え、風呂の浴槽水を循環して再利用する循環温浴器及び電極洗浄方法に関するものである。
【０００２】
【従来の技術】
近年、一旦使用された風呂の浴槽水を、循環ポンプを用いてプレフィルター（ヘアーキャッチャー）、ろ過槽、活性化タンク、保温用ヒータ等に循環させ、浴槽水の汚れの除去、活性化、加熱保温を行なう循環温浴器が一般家庭の風呂においても使用されるようになった。
【０００３】
現在、市場における循環温浴器としては、生物処理を用いて浴槽水の浄化、脱臭を行なっているものがほとんどであるが、アルミニウム電解による凝集処理を行うものも注目されてきている。又、浴槽水の汚れの除去の他に悪臭や大腸菌、レジオネラ属菌、緑膿菌等の発生を防止する必要があるため、紫外線殺菌装置による殺菌処理を行うものや、小型のオゾン発生装置を設けてオゾン処理を行うものや、銀系の抗菌剤による殺菌処理を行うもの、更には浴槽水を電気分解する電解槽を備えて酸性水を浴槽水に戻す処理を行うもの等が開発されている。
【０００４】
以下、アルミニウム電解による従来の循環温浴器について、図面を用いて説明する。
【０００５】
図７は従来の循環温浴器のシステム概略図である。
図中、１は浴槽、２は浴槽水、３は浴槽１内に配設されたノズルユニット、４はノズルユニット３内へ浴槽水２が給水される給水口、５は給水口４から給水された浴槽水２の逆流を防止する逆止弁、６はスポンジ、ポリプロピレン等の樹脂製のメッシュ網、糸巻フィルター等からなるプレフィルター（ヘアーキャッチャー）、７は循環パイプ８を介してノズルユニット３と接続された従来の循環温浴器本体、９は循環パイプ８に配設されノズルユニット３からの浴槽水２の流量を検知する流量センサー、１０は温度センサー、１１は循環温浴器本体７の循環ポンプ、１２は紫外線又はオゾン等を利用して循環ポンプ１１から送出された浴槽水２を殺菌，脱臭する殺菌装置、１３は循環ポンプ１１と殺菌装置１２を接続した循環パイプ、１４はろ過槽、１５ａ，１５ｂは殺菌装置１２とろ過槽１４を接続した循環パイプ、１６は循環パイプ１５ａ，１５ｂの連結点に配設された三方弁、１７はろ過槽１４の加熱殺菌用及び保温用のヒータ、１７ａはろ過槽１４の温度センサー、１８はろ過槽１４内に配設されたアルミニウム電極、１９はろ過槽１４に配設されたＳＵＳ電極、２０はろ過槽１４内に配設されたガラスビーズ、セラミックボール、アルミナ等の砂等からなるろ材、２１は循環温浴器本体７内を循環した浴槽水２を浴槽１に戻すジェットノズル、２２ａ，２２ｂ，２２ｃは循環温浴器本体７とジェットノズル２１を接続した循環パイプ、２３は循環パイプ２２ａ，２２ｂの連結点に配設された三方弁、２４は循環パイプ２２ｂ，２２ｃの連結点に配設された三方弁、２５は循環温浴器本体７を洗浄した洗浄水を排水する逆洗排水口、２６は三方弁１６と逆洗排水口２５を接続した逆洗パイプ、２７は三方弁２３と循環パイプ１３を接続した逆洗パイプ、２８は三方弁２４と循環パイプ８を接続した循環パイプ、２９は循環温浴器本体７の電源部、３０は循環温浴器本体７の制御部、３１は循環温浴器本体７の表示及び操作部である。
【０００６】
以下、以上のように構成された従来の循環温浴器の動作について、図面を用いて説明する。
【０００７】
図８は循環温浴器の通常循環時の浴槽水の流れを示した図であり、図９は循環温浴器ろ過槽の殺菌時を示した図であり、図１０は循環温浴器の加熱殺菌循環時の浴槽水の流れを示した図であり、図１１は循環温浴器の逆洗時の浴槽水の流れを示した図である。
【０００８】
まず、循環温浴器の通常循環時について、図８を用いて説明する。
制御部３０により通常循環動作が開始されると、三方弁１６がａ→ｃ方向、三方弁２３，２４がｃ→ａ方向に切り替えられる。次に、循環ポンプ１１が駆動して浴槽１内の浴槽水２がノズルユニット３の給水口４より吸い上げられ、プレフィルター６を通るとともにプレフィルター６により浴槽水２中に含まれる髪の毛等の大きなゴミが捕集され、更に、循環パイプ８を介し流量センサー９、温度センサー１０を通り循環ポンプ１１に流入する。
【０００９】
ここで、循環流量の低下を防ぐために、プレフィルター６（特にスポンジ等からなる場合）を１，２週間に１回程度定期的に取り出し、付着している髪の毛等の大きなゴミを除去している。また、糸巻フィルターからなるプレフィルター６の場合、浴槽水２の循環流量がある一定の流量より低下した際に制御部３０によって検知して表示及び操作部３１によってプレフィルター６の洗浄又は交換時期を表示している。
【００１０】
次に、循環ポンプ１１から送出された浴槽水２は、紫外線またはオゾン等を利用した殺菌装置１２により殺菌、脱臭されて三方弁１６を介してろ過槽１４へ流入する。
【００１１】
ろ過槽１４内において、アルミニウム電極１８を陽極、ＳＵＳ電極１９を陰極として両電極間に電流を流して浴槽水２のアルミニウム電解を行い、浴槽水２中に水酸化アルミニウムを溶出し、この水酸化アルミニウムで浴槽水２中の懸濁成分である小さいゴミ、垢（無機物、蛋白及び脂質等の有機物）等を凝集させる。次に、ろ過槽１４内のガラスビーズやセラミックボール、アルミナ等の砂等からなるろ材２０によりプレフィルター６で取れなかった小さいゴミ、垢（無機物、蛋白及び脂質等の有機物）等の凝集物がろ過される（一般的にこれまでの流れを浄化と呼ぶ）。尚、浴槽水２はろ過槽１４の加熱殺菌用及び保温用のヒータ１７と温度センサー１７ａにより温度コントロールされている。
【００１２】
ろ過槽１４で浄化された浴槽水２は、三方弁２３，２４を介してジェットノズル２１から浴槽１へ戻される。
【００１３】
次に、循環温浴器ろ過槽１４の殺菌時について、図９を用いて説明する。
制御部３０により循環温浴器ろ過槽１４の殺菌が開始されると、三方弁２３がｃ→ｂ方向に切り替えられるとともに、循環ポンプ１１が停止して浴槽水２の循環が停止する。
【００１４】
次に、ろ過槽１４のヒータ１７によりろ過槽１４内の浴槽水２が温度７０℃〜８５℃まで加熱され、ろ過槽１４内のレジオネラ属菌、緑膿菌等の殺菌が行われる。電極の洗浄は、必要に応じてクエン酸や酢酸、リンゴ酸等を浴槽水２に入れて循環運転してスケールをとるか、電極を取り出して手洗浄するかされる。
【００１５】
次に、循環温浴器の加熱殺菌循環時について、図１０を用いて説明する。
制御部３０により加熱殺菌循環動作が開始されると、三方弁２３がｃ→ａ方向、三方弁２４がｃ→ｂに切り替えられるとともに、循環ポンプ１１が作動し、図１０に示すように、閉回路の循環系が形成される。
【００１６】
温度７０℃〜８５℃まで加熱されたろ過槽１４内の浴槽水２が三方弁２３，２４を介して循環ポンプ１１、殺菌装置１２を経てろ過槽１４に再び戻り、閉回路の循環系内で循環してろ過槽１４内及び循環パイプ８，１３，１５ａ，１５ｂ，２２ａ，２２ｂ，２８内のレジオネラ属菌、大腸菌、緑膿菌等を加熱殺菌する。
【００１７】
次に、循環温浴器の逆洗時について、図１１を用いて説明する。
制御部３０により逆洗動作が開始されると、三方弁２３がｂ→ｃ方向、三方弁１６がｃ→ｂに切り替えられる。
【００１８】
循環ポンプ１１により、給水口４から給水された浴槽水２が流量センサー９、温度センサー１０が配設された循環パイプ８から逆洗パイプ２７，三方弁２３，循環パイプ２２ａを介してろ過槽１４へ流入する。
【００１９】
循環パイプ２２ａからろ過槽１４内へ流入した浴槽水２は、ろ過槽１４内のろ材２０に付着，蓄積したゴミや汚れ及びアルミニウム凝集物等とともに循環パイプ１５ｂ，三方弁１６，逆洗パイプ２６を介して排水口２５から排水される。
【００２０】
尚、逆洗は、ろ材２０を含む循環系内に蓄積したゴミやアルミニウム凝集物等の汚れを除去できる流速（１０〜２０ｌ／ｍｉｎ程度）と回数（一日に数回）で行なわれている。
【００２１】
以下、以上のように動作する従来の循環温浴器について、図１２を用いて説明する。
【００２２】
図１２は従来の循環温浴器の動作を示すフローチャートである。
浴槽水２の循環が開始（Ｓ１）されると、通常循環（Ｓ２）で浴槽水２が浴槽１と循環温浴器本体７間を循環してアルミニウム電解による浴槽水２の浄化が行われる。次に、循環温浴器の殺菌開始の判断（Ｓ３）を行い循環温浴器の殺菌が開始されると、制御部３０により三方弁２３がｃ→ｂ方向に切り替えられるとともに、循環ポンプ１１を停止して浴槽水２の循環を停止（Ｓ４）し、ろ過槽加熱（Ｓ５）が開始され、ろ過槽１４内の殺菌処理が行われる。ここで、循環温浴器の殺菌（Ｓ３）は通常循環（Ｓ２）の間に割り込んで一日に数回切り替えられて動作する。また、電極の洗浄を行う場合にも、クエン酸等を入れて運転して洗浄するか、手洗浄をすることを割り込ませていた。
【００２３】
ろ過槽加熱（Ｓ５）による殺菌処理後、制御部３０により加熱殺菌循環（Ｓ６）が開始され、ろ過槽１４内及び循環パイプ８，１３，１５ａ，１５ｂ，２２ａ，２２ｂ，２８内のレジオネラ属菌、大腸菌、緑膿菌等の加熱殺菌が行われる。加熱殺菌循環（Ｓ６）での加熱殺菌処理の終了後、制御部３０により逆洗（Ｓ７）が開始され、ろ過槽１４内を含む浴槽水２の循環系内に蓄積したゴミや汚れ及びアルミニウム凝集物等の汚れが排出口２５から排出され、循環温浴器の殺菌が終了（Ｓ８）する。
【００２４】
【発明が解決しようとする課題】
しかしながら、上記従来の循環温浴器では以下の課題を有していた。
【００２５】
通常、電解を行うと陽極は酸性側に、陰極はアルカリ側になるが、中性の浴槽水を循環させた場合、すぐに両電極付近のｐＨは中性に戻る。従って、ろ過槽内で略中性の浴槽水を循環させて陽極のアルミニウム電極と陰極のＳＵＳ電極間に電流を流して浴槽水のアルミニウム電解を行った場合、アルミニウム電極の表面付近には常に略中性の浴槽水が流れるのでアルミニウム電極付近が中性となり、アルミニウム電極から溶出したアルミニウムイオンが水酸化アルミニウムになり直ちに析出する。
【００２６】
このため、アルミニウム電極とＳＵＳ電極を有するろ過槽と浴槽との間で浴槽水を循環させてろ過槽中のアルミニウム電極を陽極、ＳＵＳ電極を陰極として両電極間に電流を流し、浴槽水のアルミニウム電解を行い浴槽水中に水酸化アルミニウムを溶出させる動作を長期に渡って行うと、析出した水酸化アルミニウム等のスケールがアルミニウム電極の表面に付着して電解電流の低下を引き起こすとともに、浴槽水中の水酸化アルミニウムの濃度が低下して懸濁物質の凝集力が低下し、浄化性能が低下するため、浴槽水の除濁を含む安定した浄化を長期に渡って維持することが困難であるという課題を有していた。また、アルミニウム電極に付着した水酸化アルミニウム等のスケールにより浄化性能が低下するため、所定期間ごとに（１，２ヵ月に１回程度）クエン酸や酢酸、リンゴ酸等の酸でろ過槽内を洗浄してアルミニウム電極に付着したスケールを除去したり、アルミニウム電極を取り出してブラシ等で物理的に落とす必要が有り、アルミニウム電極の洗浄作業性やメンテナンス性に欠けるとともにランニングコストがかかるという課題を有していた。
【００２７】
また、アルミニウム電極に付着したスケールの除去作業におけるクエン酸や酢酸、リンゴ酸等の酸（ｐＨ２〜５）によるアルミニウム電極の洗浄で循環温浴器を構成する金属部材を腐食させ、循環温浴器の耐久性に欠けるという課題を有していた。
【００２８】
本発明は、上記従来の課題を解決するもので、メンテナンス性に優れ、長期に渡って安定した浄化性能を維持することができるとともに、循環温浴器の耐久性を向上できる循環温浴器の提供、及び、アルミニウム電極に水酸化アルミニウム等のスケールが付着するのを未然に防ぎ又は付着したスケールを検知してアルミニウム電極の洗浄ができる電極洗浄方法を提供することを目的とする。
【００２９】
【課題を解決するための手段】
上記従来の課題を解決するために、本発明における循環温浴器は、アルミニウム電極を有したろ過槽に浴槽水を循環させてアルミニウム電解により前記浴槽水を浄化する循環温浴器であって、前記浴槽水の循環を停止してアルミニウム電解を行うことにより前記アルミニウム電極の洗浄を行う制御部を備えたものであり、長期に渡って安定した浄化性能を維持することができるとともに、該循環温浴器のメンテナンス性を向上でき、また、循環温浴器を構成する金属部材の腐食等を防止でき、循環温浴器の耐久性を向上できる。
【００３０】
本発明における循環温浴器の電極洗浄方法は、アルミニウム電極を有したろ過槽に浴槽水を循環させてアルミニウム電解により前記浴槽水を浄化する循環温浴器の電極洗浄方法であって、前記ろ過槽の中の浴槽水の循環を停止させアルミニウム電解でアルミニウム電極を洗浄する電極洗浄ステップを備えたものであり、アルミニウム電極に水酸化アルミニウム等のスケールが付着するのを未然に防止できるとともに、アルミニウム電極に付着したスケールを洗浄することができる。
【００３１】
【発明の実施の形態】
請求項１に記載の循環温浴器は、アルミニウム電極を有したろ過槽に浴槽水を循環させてアルミニウム電解により前記浴槽水を浄化する循環温浴器であって、前記浴槽水の循環を停止してアルミニウム電解を行うことにより前記アルミニウム電極の洗浄を行う制御部を備えており、浴槽水の循環を停止してアルミニウム電解を行うことにより、アルミニウム電極の表面への水酸化アルミニウム等のスケールの付着を防止できるとともに、アルミニウム電極の表面に付着した水酸化アルミニウム等のスケールの洗浄もでき、浴槽水の浄化性能を長期に渡って維持できるという作用を有する。
【００３２】
請求項２に記載の循環温浴器は、請求項１に記載の発明において、前記制御部が、前記ろ過槽を加熱するろ過槽加熱手段及び／又は、前記アルミニウム電極の電解電圧の上昇を検知する電圧検知手段を備えており、ろ過槽加熱手段によりろ過槽を加熱してアルミニウム電極の表面に付着した水酸化アルミニウム等のスケールの溶解度を上昇でき、アルミニウム電極の表面への水酸化アルミニウム等のスケールの付着の防止やアルミニウム電極の表面に付着した水酸化アルミニウム等のスケールの洗浄が容易にできるという作用を有する。また、電圧検知手段でアルミニウム電極の電解電圧の上昇を検知してアルミニウム電極の表面に付着した水酸化アルミニウム等のスケールの洗浄ができるという作用を有する。
【００３３】
請求項３に記載の循環温浴器は、請求項１又は２に記載の発明において、前記ろ過槽の下流側に設けられた三方弁が切り替えられて循環ポンプの上流側に配設されたプレフィルター等の上流側と前記ろ過槽の下流側が連絡されるものであり、三方弁を切り替え閉回路の循環系にして循環温浴器の加熱殺菌循環を行う際に、循環ポンプの上流側に配設されたプレフィルター等の加熱殺菌もできるという作用を有する。
【００３４】
請求項４に記載の電極洗浄方法は、アルミニウム電極を有したろ過槽に浴槽水を循環させてアルミニウム電解により前記浴槽水を浄化する循環温浴器の電極洗浄方法であって、前記ろ過槽の中の浴槽水の循環を停止させアルミニウム電解でアルミニウム電極を洗浄する電極洗浄ステップを備えており、アルミニウム電極の表面付近の浴槽水のｐＨを２〜５まで低下させることができ、アルミニウム電極の表面への水酸化アルミニウム等のスケールの付着を防止できるとともに、アルミニウム電極の表面に付着した水酸化アルミニウム等のスケールの洗浄もできるという作用を有する。
【００３５】
請求項５に記載の電極洗浄方法は、請求項４に記載の発明において、前記電極洗浄ステップが、ヒータで前記ろ過槽を加熱しながら行うものであり、アルミニウム電極の表面に付着した水酸化アルミニウム等のスケールの溶解度を上昇でき、アルミニウム電極への水酸化アルミニウム等のスケールの付着を防止できるとともに、アルミニウム電極の表面に付着した水酸化アルミニウム等のスケールを溶解して洗浄できるという作用を有する。
【００３６】
請求項６に記載の電極洗浄方法は、請求項４に記載の発明において、前記電極洗浄ステップが、前記アルミニウム電解を停止させた後、前記ろ過槽を加熱し所定温度に加熱後アルミニウム電解を行うものであり、アルミニウム電極の表面に付着した水酸化アルミニウム等のスケールの溶解度を上昇でき、アルミニウム電極への水酸化アルミニウム等のスケールの付着を防止できるとともに、アルミニウム電極の表面に付着した水酸化アルミニウム等のスケールを溶解して洗浄できるという作用を有する。
【００３７】
請求項７に記載の電極洗浄方法は、請求項４乃至６の内いずれか１項に記載の発明において、前記電極洗浄ステップが、前記アルミニウム電極の電解電圧の上昇を検知した後行うものであり、アルミニウム電極への水酸化アルミニウム等のスケールの長期間に渡る付着を未然に防止できるという作用を有する。
【００３８】
（実施の形態）
以下、本発明の実施の形態における循環温浴器について、図面を用いて説明する。
【００３９】
図１は本発明の実施の形態における循環温浴器のシステム概略図である。尚、図７と同様のものには同一の符号を付して説明を省略する。
【００４０】
図中、２４′はろ過槽１４の下流側の循環パイプ２２ｂとプレフィルター６の上流側の循環パイプ２８′とジェットノズル２１を連結した連結点に配設された三方弁、３０′はろ過槽加熱手段及び電圧検知手段を制御する制御部である。
【００４１】
尚、ろ過槽１４内のガラスビーズ、セラミックボール、アルミナ等の砂等からなるろ材２０の粒径は０．３ｍｍ〜１ｍｍ程度のものを用いている。３０μｍ〜４０μｍ前後の大きさに生成されたアルミニウム電解による凝集物がろ過できる粒径のためである。
【００４２】
以下、以上のように構成された循環温浴器の動作について、図面を用いて説明する。
【００４３】
図２は循環温浴器の通常循環時の浴槽水の流れを示した図であり、図３は循環温浴器ろ過槽の殺菌及び電極洗浄時を示した図であり、図４は循環温浴器の加熱殺菌循環時の浴槽水の流れを示した図であり、図５は循環温浴器の逆洗時の浴槽水の流れを示した図である。
【００４４】
実施の形態における循環温浴器の通常循環は、図２に示すように、従来の循環温浴器の通常循環時（図８）と同様であり、制御部３０′により通常循環が開始されると、三方弁１６がａ→ｃ方向、三方弁２３，２４′がｃ→ａ方向に切り替えられ、浴槽水２が循環ポンプ１１、殺菌装置１２、ろ過槽１４を介してジェットノズル２１から浴槽１へ排出され、浴槽１と循環温浴器本体７間で循環される。
【００４５】
実施の形態における循環温浴器の殺菌及び電極洗浄では、制御部３０′により三方弁２３がｃ→ｂ方向に切り替えられるとともに、循環ポンプ１１が停止されて、図３に示すように、浴槽水２の循環が停止する。
【００４６】
次に、従来のろ過槽加熱時（図９）と同様に、浴槽水２の循環停止中にろ過槽１４のヒータ１７（本実施の形態のろ過槽加熱手段）によりろ過槽１４内の浴槽水２を温度７０℃〜８５℃まで加熱して、ろ過槽１４内のレジオネラ属菌、緑膿菌等の殺菌が行われる。
【００４７】
次いで、通常循環時にろ過槽１４内において行われるアルミニウム電解と同様に、アルミニウム電極１８を陽極、ＳＵＳ電極１９を陰極として両電極間１８，１９に電流を流してアルミニウム電解を行い、アルミニウム電極１８の表面付近の浴槽水２のｐＨを２〜５まで低下させてアルミニウム電極１８の洗浄を行う。
【００４８】
実施の形態における加熱殺菌循環は、図４に示すように、従来の循環温浴器の加熱殺菌循環時（図１０）と同様であり、制御部３０′により加熱殺菌循環が開始されると、三方弁２３がｃ→ａ方向、三方弁２４′がｃ→ｂに切り替えられるとともに、循環ポンプ１１が作動し、図４に示すように、閉回路の循環系が形成され、温度７０℃〜８５℃まで加熱されたろ過槽１４内の浴槽水２が三方弁２３，２４′を介してプレフィルター６、循環ポンプ１１、殺菌装置１２を経てろ過槽１４に再び戻り、閉回路の循環系内で循環してろ過槽１４内及び循環パイプ８，１３，１５ａ，１５ｂ，２２ａ，２２ｂ，２８′内のレジオネラ属菌、大腸菌、緑膿菌等を加熱殺菌する。
【００４９】
実施の形態における逆洗は、図５に示すように、従来の循環温浴器の逆洗時（図１１）と同様であり、制御部３０′により逆洗が開始されると、三方弁２３がｂ→ｃ方向、三方弁１６がｃ→ｂに切り替えられ、給水口４から給水された浴槽水２が、循環パイプ８から逆洗パイプ２７，三方弁２３，循環パイプ２２ａを介してろ過槽１４へ流入してろ過槽１４内のろ材２０に付着，蓄積したゴミや汚れ及びアルミニウム凝集物等とともに循環パイプ１５ｂ，三方弁１６，逆洗パイプ２６を介して排水口２５から排水される。
【００５０】
以下、以上のように動作する実施の形態における循環温浴器の動作について、図６を用いて説明する。
【００５１】
図６は実施の形態における循環温浴器の動作を示すフローチャートである。
浴槽水２の循環が開始（Ｓ１０）されると、通常循環（Ｓ１１）により浴槽水２が浴槽１と循環温浴器本体７間を循環してアルミニウム電解による浴槽水２の浄化が行われる。
【００５２】
次に、循環温浴器の殺菌及び電極洗浄開始の判断（Ｓ１２）を行い循環温浴器ろ過槽１４の殺菌及び電極洗浄が開始されると、制御部３０′の電極洗浄ステップにより三方弁２３がｃ→ｂ方向に切り替えられるとともに、循環ポンプ１１が停止してろ過槽１４中の浴槽水２の循環が停止（Ｓ１３）する。次に、ろ過槽１４の加熱の有無を判断（Ｓ１４）し、ろ過槽１４の加熱をする場合は制御部の制御３０′によりろ過槽１４の加熱（Ｓ１５）が開始される。ろ過槽１４をレジオネラ属菌、緑膿菌等が殺菌できる温度７０〜８５℃に加熱し殺菌処理を行った後、浴槽水２の循環を停止させたままアルミニウム電解を行いアルミニウム電極１８の洗浄（Ｓ１６）を行う。尚、アルミニウム電極洗浄中にろ過槽１４の加熱をしてもよく、また、アルミニウム電解を停止させた後にろ過槽１４を加熱し、所定温度に加熱した後アルミニウム電解を行いアルミニウム電極洗浄を行なってもよい。ここで、浴槽水の循環停止（Ｓ１３）、ろ過槽加熱の判断（Ｓ１４）及びろ過槽加熱（Ｓ１５）、アルミニウム電極洗浄（Ｓ１６）からなる電極洗浄ステップは、通常循環（Ｓ１１）の間に割り込んで、循環温浴器ろ過槽１４及び浴槽水２中の菌の増殖を抑えることのできる殺菌回数（例えば、４時間毎に１回，１日に６回）、又は制御部３０′の電圧制御手段でアルミニウム電極１８の電解電圧の上昇を検知した後に行われる。
【００５３】
電極洗浄ステップのアルミニウム電極洗浄（Ｓ１６）による電極洗浄後、制御部３０′により加熱殺菌循環（Ｓ１７）が開始され、ろ過槽１４内及び循環パイプ８，１３，１５ａ，１５ｂ，２２ａ，２２ｂ，２８′内のレジオネラ属菌、大腸菌、緑膿菌等の加熱殺菌が行われる。加熱殺菌循環（Ｓ１７）での加熱殺菌処理の終了後、制御部３０′により逆洗（Ｓ１８）が開始され、ろ過槽１４内を含む浴槽水２の循環系内に蓄積したゴミや汚れ及びアルミニウム凝集物等の汚れが排出口２５から排出され、循環温浴器の殺菌及び電極洗浄が終了（Ｓ１９）する。
【００５４】
以上のように本実施の形態によれば、通常循環の間に割り込んで行う循環温浴器ろ過槽の殺菌及び電極洗浄時における電極洗浄ステップで、浴槽水の循環を停止して循環停止中にアルミニウム電解を行うことにより、循環すると中性に近づくアルミニウム電極の表面付近の浴槽水のｐＨを２〜５まで低下することができ、アルミニウム電極の表面のアルミニウムの状態を３価アルミニウムイオンにすることができ、アルミニウム電極の表面に水酸化アルミニウムが付着するのを防止できるという作用を有する。また、アルミニウム電極の表面に付着した水酸化アルミニウム等のスケールを溶解して洗浄できるという作用を有する。
【００５５】
また、アルミニウム電極洗浄中に、ろ過槽内の浴槽水を加熱することにより、更に、アルミニウム電極に付着した水酸化アルミニウム等のスケールの溶解度を上昇でき、アルミニウム電極の表面の水酸化アルミニウム等のスケールの付着を防止または付着した水酸化アルミニウム等のスケールを容易に洗浄できるという作用を有する。
【００５６】
また、三方弁がろ過槽の下流側とプレフィルターの上流側とジェットノズルを連結した連結点に配設されているため、加熱殺菌循環時にプレフィルターの殺菌処理ができるという作用を有する。
【００５７】
尚、本実施の形態におけるろ過槽と同様の構成と洗浄方法を有する排水及び厨芥のｓｓ成分を除去する装置の場合にも本発明の作用、効果が得られる。
【００５８】
【発明の効果】
以上のように本発明によれば、以下の優れた効果を得ることができる。
【００５９】
請求項１に記載の発明によれば、浴槽水の循環を停止してアルミニウム電解を行うことにより、アルミニウム電極の表面への水酸化アルミニウム等のスケールの付着を防止できるとともに、アルミニウム電極の表面に付着した水酸化アルミニウム等のスケールの洗浄もでき、従来のように定期的にクエン酸や酢酸、リンゴ酸等の酸（ｐＨ２〜５）でアルミニウム電極を洗浄したり、アルミニウム電極を取り出してブラシ等で物理的にスケール等を取り除く作業を要さず、ランニングコストを低下でき、メンテナンス性に優れるとともに、循環温浴器の金属部材の腐食等を防ぎ、循環温浴器の耐久性を向上できる。
【００６０】
請求項２に記載の発明によれば、請求項１の効果に加えて、ろ過槽加熱手段によりろ過槽を加熱してアルミニウム電極の表面に付着した水酸化アルミニウム等のスケールの溶解度を上昇でき、アルミニウム電極の表面への水酸化アルミニウム等のスケールの付着の防止やアルミニウム電極の表面に付着した水酸化アルミニウム等のスケールの洗浄が容易にでき、循環温浴器の浄化性能を長期に渡って安定して維持できるとともに、効率の良いアルミニウム電解を行なうことができ、浴槽水の浄化性能（凝集効果）の向上が図れる。
【００６１】
また、電圧検知手段でアルミニウム電極の電解電圧の上昇を検知してアルミニウム電極の表面に付着した水酸化アルミニウム等のスケールの洗浄ができ、アルミニウム電極へのスケールの付着状況に応じて自動的にアルミニウム電極の洗浄ができメンテナンス性に優れる。
【００６２】
請求項３に記載発明によれば、請求項１又は２の効果に加えて、三方弁を切り替え閉回路の循環系にして循環温浴器の加熱殺菌循環を行う際に、循環ポンプの上流側に配設されたプレフィルター等の加熱殺菌もでき、循環温浴器の衛生に優れる。
【００６３】
請求項４に記載の発明によれば、アルミニウム電極の表面付近の浴槽水のｐＨを２〜５まで低下させることができ、アルミニウム電極の表面への水酸化アルミニウム等のスケールの付着を防止できるとともに、アルミニウム電極の表面に付着した水酸化アルミニウム等のスケールの洗浄もでき、アルミニウム電極の洗浄作業性に優れるとともに、アルミニウム電極の性能を維持できる。
【００６４】
請求項５に記載の発明によれば、請求項４の効果に加えて、アルミニウム電極の表面に付着した水酸化アルミニウム等のスケールの溶解度を上昇でき、アルミニウム電極への水酸化アルミニウム等のスケールの付着を防止できるとともに、アルミニウム電極の表面に付着した水酸化アルミニウム等のスケールを溶解して洗浄でき、アルミニウム電極及び循環温浴器の浄化を容易に短時間で行うことができメンテナンス性に優れる。
【００６５】
請求項６に記載の発明によれば、請求項４の効果に加えて、アルミニウム電極の表面に付着した水酸化アルミニウム等のスケールの溶解度を上昇でき、アルミニウム電極への水酸化アルミニウム等のスケールの付着を防止できるとともに、アルミニウム電極の表面に付着した水酸化アルミニウム等のスケールを溶解して洗浄できる。
【００６６】
請求項７に記載の発明によれば、請求項４乃至６の効果に加えて、アルミニウム電極への水酸化アルミニウム等のスケールの付着を未然に防止でき、長期に渡って電解電流の低下を防いで無駄な電解電圧をかける必要がなくなり、長期間安定した浄化性能を得ることができるとともに、効率の良いアルミニウム電解を行なうことができ、浄化性能（凝集効果）の向上も図れる。
【図面の簡単な説明】
【図１】本発明の実施の形態における循環温浴器のシステム概略図
【図２】循環温浴器の通常循環時の浴槽水の流れを示した図
【図３】循環温浴器ろ過槽の殺菌及び電極洗浄時を示した図
【図４】循環温浴器の加熱殺菌循環時の浴槽水の流れを示した図
【図５】循環温浴器の逆洗時の浴槽水の流れを示した図
【図６】実施の形態における循環温浴器の動作を示すフローチャート
【図７】従来の循環温浴器のシステム概略図
【図８】循環温浴器の通常循環時の浴槽水の流れを示した図
【図９】循環温浴器ろ過槽の殺菌時を示した図
【図１０】循環温浴器の加熱殺菌循環時の浴槽水の流れを示した図
【図１１】循環温浴器の逆洗時の浴槽水の流れを示した図
【図１２】従来の循環温浴器の動作を示すフローチャート
【符号の説明】
１  浴槽
２  浴槽水
３  ノズルユニット
４  給水口
５  逆止弁
６  プレフィルター（ヘアーキャッチャー）
７  循環温浴器本体
８  循環パイプ
９  流量センサー
１０，１７ａ  温度センサー
１１  循環ポンプ
１２  殺菌装置
１３  循環パイプ
１５ａ，１５ｂ  循環パイプ
１４  ろ過槽
１６，２３，２４，２４′  三方弁
１７  ヒータ
１８  アルミニウム電極
１９  ＳＵＳ電極
２０  ろ材
２１  ジェットノズル
２２ａ，２２ｂ，２２ｃ  循環パイプ
２５  逆洗排水口
２６，２７  逆洗パイプ
２８，２８′  循環パイプ
２９  電源部
３０，３０′  制御部
３１  表示及び操作部
【図１】
0003775017.tif 000002
【図２】
0003775017.tif 000003
【図３】
0003775017.tif 000004
【図４】
0003775017.tif 000005
【図５】
0003775017.tif 000006
【図６】
0003775017.tif 000007
【図７】
0003775017.tif 000008
【図８】
0003775017.tif 000009
【図９】
0003775017.tif 000010
【図１０】
0003775017.tif 000011
【図１１】
0003775017.tif 000012
【図１２】
0003775017.tif 000013